(57)【要約】【課題】安定して転倒を防止できる冷蔵庫を提供する。【解決手段】冷蔵庫は、貯蔵室を有する本体部と、本体部を支持する支持脚１５と、本体部の底面に設けられ、本体部の転倒を防止する転倒防止部と、を備え、転倒防止部は、底面に固定された固定部３０と、固定部３０に対してスライド移動可能に設けられた可動部４０とを含み、可動部４０は、本体部が傾斜していない非傾斜状態において、底面の内側に収容され、転倒防止部が非傾斜状態と比較して低所に位置するように本体部が傾斜した傾斜状態において、底面の外側に突出する。【選択図】図２５
2017075738.tif 000002
【特許請求の範囲】
【請求項１】
貯蔵室を有する本体部と、
前記本体部を支持する支持脚と、
前記本体部の底面に設けられ、前記本体部の転倒を防止する転倒防止部と、を備え、
前記転倒防止部は、前記底面に固定された固定部と、前記固定部に対してスライド移動可能に設けられた可動部とを含み、
前記可動部は、前記本体部が傾斜していない非傾斜状態において、前記底面の内側に収容され、前記転倒防止部が前記非傾斜状態と比較して低所に位置するように前記本体部が傾斜した傾斜状態において、前記底面の外側に突出する、冷蔵庫。
【請求項２】
前記転倒防止部は、一対設けられ、
前記一対の前記転倒防止部の各々は、左右方向に並んで配置されている、請求項１に記載の冷蔵庫。
【請求項３】
前記本体部は、前記底面側に圧縮機を収容する機械室を含み、
前記底面の一部は、前記圧縮機を支持するとともに前記機械室の底部を規定する支持基板によって構成され、
前記固定部が、前記支持基板に固定されている、請求項１または２に記載の冷蔵庫。
【請求項４】
前記可動部は、前記底面の法線方向を軸方向として回動可能に構成されている、請求項１から３のいずれか１項に記載の冷蔵庫。
【請求項５】
前記可動部は、先端側に、前記非傾斜状態において、床面に平行な平面部を有し、
前記可動部の前記先端側は、前記傾斜状態において前記平面部が床面に平行な状態で床面に接触するように、上方側に向けて回動可能に構成されている、請求項１から４のいずれか１項に記載の冷蔵庫。
【請求項６】
前記可動部の前記先端側は、前記非傾斜状態において前記平面部が床面に平行な状態から下方側に回動することを規制する回動規制部を有する、請求項５に記載の冷蔵庫。
【発明の詳細な説明】
【技術分野】
【０００１】
本発明は、転倒を防止する転倒防止部を備えた冷蔵庫に関する。
【背景技術】
【０００２】
転倒を防止するための転倒防止手段を備えた冷蔵庫が開示された文献として、たとえば特開２００６−１９４５７５号公報（特許文献１）が開示されている。
【０００３】
特許文献１に開示の冷蔵庫においては、断熱箱体の上方後方に設けられた凹部に圧縮機を配置し、断熱箱体を支持する複数のキャスターのうち、断熱箱体の最も後方側に設けられたキャスターが、断熱箱体の背面もしくは側面の少なくとも最も後方に設けられた固定部材に取付けられている。
【０００４】
このように構成することにより、上方に圧縮機を配置し、冷蔵庫の重心が高くなる場合であっても、キャスターが固定部材によって強固に取付けられるため、冷蔵庫の後方への傾きに抗して冷蔵庫を支えることができる。
【先行技術文献】
【特許文献】
【０００５】
【特許文献１】特開２００６−１９４５７５号公報
【発明の概要】
【発明が解決しようとする課題】
【０００６】
しかしながら、特許文献１に開示の冷蔵庫においては、冷蔵庫の転倒に対する安定性は、圧縮機の配置によって影響を受ける。圧縮機が冷蔵庫の背面に近接する位置に配置されるような場合には、冷蔵庫の重心位置が後方側に移動するため、キャスターのみでは支えきれず、冷蔵庫が転倒することが懸念される。
【０００７】
本発明は、上記のような問題に鑑みてなされたものであり、本発明の目的は、安定して転倒を防止できる冷蔵庫を提供することにある。
【課題を解決するための手段】
【０００８】
本発明に基づく冷蔵庫は、貯蔵室を有する本体部と、上記本体部を支持する支持脚と、上記本体部の底面に設けられ、上記本体部の転倒を防止する転倒防止部と、を備え上記転倒防止部は、上記底面に固定された固定部と、上記固定部に対してスライド移動可能に設けられた可動部とを含み、上記可動部は、上記本体部が傾斜していない非傾斜状態において、上記底面の内側に収容され、上記転倒防止部が上記非傾斜状態と比較して低所に位置するように上記本体部が傾斜した傾斜状態において、上記底面の外側に突出する。
【０００９】
上記本発明に基づく冷蔵庫にあっては、上記転倒防止部は、一対設けられていてもよく、上記一対の上記転倒防止部の各々は、左右方向に並んで配置されていてもよい。
【００１０】
上記本発明に基づく冷蔵庫にあっては、上記本体部は、上記底面側に圧縮機を収容する機械室を含んでいてもよい。この場合には、上記底面の一部は、上記圧縮機を支持するとともに上記機械室の底部を規定する支持基板によって構成されることが好ましく、上記固定部が、上記支持基板に固定されていることが好ましい。
【００１１】
上記本発明に基づく冷蔵庫にあっては、上記可動部は、上記底面の法線方向を軸方向として回動可能に構成されることが好ましい。
【００１２】
上記本発明に基づく冷蔵庫にあっては、上記可動部は、先端側に、上記非傾斜状態において、床面に平行な平面部を有していることが好ましい。この場合には、上記可動部の上記先端側は、上記傾斜状態において上記平面部が床面に平行な状態で床面に接触するように、上方側に向けて回動可能に構成されていることが好ましい。
【００１３】
上記本発明に基づく冷蔵庫にあっては、上記可動部の上記先端側は、上記非傾斜状態において上記平面部が床面に平行な状態から下方側に回動することを規制する回動規制部を有することが好ましい。
【発明の効果】
【００１４】
本発明によれば、安定して転倒を防止できる冷蔵庫を提供することができる。
【図面の簡単な説明】
【００１５】
【図１】実施の形態に係る冷蔵庫の断面図である。
【図２】実施の形態に係る冷蔵庫の背面図である。
【図３】実施の形態に係る転倒防止部のスライド移動を示す図である。
【図４】実施の形態に係る転倒防止部の前後方向の回動を示す図である。
【図５】実施の形態に係る転倒防止部に含まれる固定部の上面図である。
【図６】図５に示すＶＩ−ＶＩ線に沿った断面図である。
【図７】図５に示すＶＩＩ−ＶＩＩ線に沿った断面図である。
【図８】実施の形態に係る転倒防止部に含まれる固定部の側面図である。
【図９】実施の形態に係る転倒防止部に含まれる可動部の側面図である。
【図１０】実施の形態に係る転倒防止部に含まれる可動部の前後方向への回動を示す図である。
【図１１】実施の形態に係る転倒防止部に含まれる可動部の上下方向への回動を示す図である。
【図１２】実施の形態に係る転倒防止部に含まれる可動部の基端部側の構成を示す上面図である。
【図１３】図１２に示すＸＩＩＩ−ＸＩＩＩ線に沿った断面図である。
【図１４】図１２に示すＸＩＶ−ＸＩＶ線に沿った断面図である。
【図１５】実施の形態に係る転倒防止部に含まれる可動部の第１支持部が固定部に収容される様子を示す断面図である。
【図１６】図１２に示すＸＶＩ−ＸＶＩ線に沿った断面図である。
【図１７】図１２に示すＸＶＩＩ−ＸＶＩＩ線に沿った断面図である。
【図１８】実施の形態に係る転倒防止部に含まれる可動部の先端側の構成の一部である第３支持部を示す上面図である。
【図１９】図１８に示すＸＩＸ−ＸＩＸ線に沿った断面図である。
【図２０】図１８に示すＸＸ−ＸＸ線に沿った断面図である。
【図２１】実施の形態に係る転倒防止部の先端側の構成の他の一部である足部を示す上面図である。
【図２２】実施の形態に係る転倒防止部の先端側の構成の他の一部である足部を示す側面図である。
【図２３】実施の形態に係る冷蔵庫の本体部が傾斜していない非傾斜状態における転倒防止部の状態を示す図である。
【図２４】実施の形態に係る冷蔵庫の本体部が傾斜した傾斜状態における転倒防止部の第１状態を示す図である。
【図２５】実施の形態に係る冷蔵庫の本体部が傾斜した傾斜状態における転倒防止部の第２状態を示す図である。
【発明を実施するための形態】
【００１６】
以下、本発明の実施の形態について、図を参照して詳細に説明する。なお、以下に示す実施の形態においては、同一のまたは共通する部分について図中同一の符号を付し、その説明は繰り返さない。
【００１７】
（実施の形態１）
図１および図２は、実施の形態に係る冷蔵庫の断面図および背面図である。図１および図２を参照して、本実施の形態に係る冷蔵庫１について説明する。
【００１８】
図１および図２に示すように、本実施の形態に係る冷蔵庫１は、本体部２と、複数の支持脚１５と、一対の転倒防止部２０とを備える。図中におけるＸ軸方向は、冷蔵庫１の前後方向を示し、Ｙ軸方向は、冷蔵庫１の左右方向を示し、Ｚ軸方向は、冷蔵庫１の上下方向を示す。
【００１９】
本体部２は、断熱箱体３、機械室４、および複数の開閉扉９を含む。断熱箱体３は、鋼板製の外箱と合成樹脂の内箱とこれらの間に充填された断熱材とによって構成される。断熱箱体３の内部は、仕切り壁５によって冷蔵室６、野菜室７および冷凍室８に仕切られている。冷蔵室６、野菜室７および冷凍室８の配置は適宜変更することができる。冷蔵室６、野菜室７および冷凍室８は、被貯蔵物を貯蔵する貯蔵室に相当する。貯蔵室の数は、適宜変更することができる。
【００２０】
開閉扉９は、各貯蔵室の前面開口を開閉可能に設けられている。たとえば、冷蔵室６の前面開口を開閉する開閉扉９は、上下方向を軸方向として回動可能に設けられている。野菜室７および冷凍室８の前面開口をそれぞれ開閉可能に設けられた開閉扉９は、前後方向に引出可能に設けられている。
【００２１】
機械室４は、本体部２の底面２ｂ側に設けられている。具体的には、断熱箱体３の後方下部に設けられた凹部を背面カバー４ａ、底面カバー４ｂ、および側面カバー（不図示）によって覆うことにより構成されている。
【００２２】
背面カバー４ａは、略板状形状を有する。背面カバー４ａは、Ｙ軸方向の両端から上方に向けて突出する突出片を有する。この突出片が断熱箱体３の背面３ａにビス等によって固定されることにより、背面カバー４ａは、断熱箱体３に固定される。
【００２３】
底面カバー４ｂは、略Ｌ字板形状を有する。底面カバー４ｂは、底板部４ｂ１と、折り曲げ部４ｂ２とを含む。底板部４ｂ１は、本体部２の底面２ｂの一部を構成する。底板部４ｂ１は、圧縮機１０を支持する支持基板に相当する。
【００２４】
折り曲げ部４ｂ２は、底板部４ｂ１の後端側から上方に向けて折り曲がるように設けられている。左右方向における折り曲げ部４ｂ２の両端がネジ等の締結部材によって背面カバー４ａに締結される。
【００２５】
機械室４内には、冷媒を圧縮する圧縮機１０および当該圧縮機１０により圧縮された冷媒を凝縮する凝縮器１１等が収容されている。圧縮機１０は、底板部４ｂ１に支持されている。圧縮機１０および凝縮器１１は、減圧装置（不図示）と、蒸発器１２とともに冷凍サイクルを構成する。減圧装置は、凝縮器１１により凝縮された冷媒を膨張させる。蒸発器１２は、断熱箱体３の内部における後方下部に収容され、減圧装置を経た冷媒を蒸発させる。
【００２６】
圧縮機１０が駆動し、冷凍サイクルが機能すると、高温高圧状態に圧縮された冷媒が圧縮機１０から凝縮器１１に流入して液化（凝縮）される。液化された冷媒は、減圧装置を通って減圧されて低温となり、蒸発器１２に流入する。蒸発器１２に流入した冷媒は、周囲から熱を奪って気化し、圧縮機１０に戻る。冷凍サイクルの機能時に、蒸発器１２の熱交換によって生成された冷気は、冷蔵室６、野菜室７および冷凍室８を循環し、冷蔵室６、野菜室７および冷凍室８の温度を所定の温度に保つ。
【００２７】
複数の支持脚１５は、本体部２を支持する。複数の支持脚１５は、たとえば４つのキャスターによって構成されている。４つのキャスターは、前方側における本体部２の左右方向の両端側に固定された２つのキャスターと、後方側における本体部２の左右方向の両端側に固定された２つのキャスターとを含む。
【００２８】
一対の転倒防止部２０は、本体部２の底面２ｂに設けられる。具体的には、一対の転倒防止部２０は、底面カバー４ｂの底板部４ｂ１に固定されている。一対の転倒防止部２０は、左右方向に並んで配置されている。一対の転倒防止部２０のうち一方は、底板部４ｂ１の左側に設けられており、一対の転倒防止部２０のうち他方は、底板部４ｂ１の右側に設けられている。一対の転倒防止部２０は、本体部２の転倒を防止する。
【００２９】
図３は、実施の形態に係る転倒防止部のスライド移動を示す図である。図４は、実施の形態に係る転倒防止部の前後方向の回動を示す図である。図３および図４を参照して、転倒防止部２０の構成について説明する。
【００３０】
図３および図４に示すように、転倒防止部２０は、固定部３０と可動部４０とを含む。固定部３０は、ネジ９０等の締結部材によって本体部２の底面２ｂに固定されている。可動部４０は、固定部３０に対してスライド移動可能に設けられている。また、可動部４０は、本体部２の底面２ｂの法線方向を軸方向として回動可能に構成されている。
【００３１】
なお、転倒防止部２０による転倒防止動作の詳細については、図２３から図２５を用いて後述する。
【００３２】
以下に図５から図２２を用いて、転倒防止部２０の詳細な構成について説明する。なお、底板部４ｂ１の左側に設けられた転倒防止部２０と、底板部４ｂ１の右側に設けられた転倒防止部２０とは、左右対称に構成されるため、底板部４ｂ１の右側に設けられた転倒防止部２０に着目して、その詳細な構成について説明する。
【００３３】
図５は、実施の形態に係る転倒防止部２０に含まれる固定部の上面図である。図６は、図５に示すＶＩ−ＶＩ線に沿った断面図である。図７は、図５に示すＶＩＩ−ＶＩＩ線に沿った断面図である。図８は、実施の形態に係る転倒防止部に含まれる固定部の側面図である。図５から図８を参照して、固定部３０の構成について説明する。
【００３４】
図５から図８に示すように、固定部３０は、第１平坦部３１、第２平坦部３２、第３平坦部３３、第１側壁部３４および第２側壁部３５を有する。
【００３５】
第１平坦部３１は、長手方向および短手方向を有する略矩形形状を有する。第１平坦部３１は、冷蔵庫１が傾斜していない非傾斜状態において、ＸＹ平面に平行となる。第１平坦部３１は、上記非傾斜状態において、Ｙ軸方向に延在する。第１平坦部３１には、後述する可動部４０における第１支持部５０のスライド移動を案内する案内孔３６が設けられている。案内孔３６は、第１平坦部３１の長手方向に沿って設けられている。
【００３６】
第１側壁部３４は、上記非傾斜状態において、Ｘ軸方向における第１平坦部３１の両端から上方に向けて起立するように設けられている。第１側壁部３４は、第１平坦部３１と略直交する。
【００３７】
第２平坦部３２は、第１側壁部３４の上端から外側に折り曲がるように設けられている。第２平坦部３２は、上記非傾斜状態において、ＸＹ平面に平行となる。
【００３８】
第２側壁部３５は、上記非傾斜状態において、Ｘ軸方向における第２平坦部３２の両端から上方に向けて起立するように設けられている。第２側壁部３５は、第２平坦部３２と略直交する。本体部２の底面２ｂの周縁部に近い第２側壁部３５の先端側（図８における右側）には、切欠き部３７が設けられている。この切欠き部３７は、後述する可動部４０における第２支持部６０の接続板部６４の回動を許容する。
【００３９】
第３平坦部３３は、第２側壁部３５の上端から外側に折り曲がるように設けられている。第３平坦部３３は、上記非傾斜状態において、ＸＹ平面に平行となる。第３平坦部３３は、複数の穴部３８を有する。当該複数の穴部３８にネジ９０が挿通され、第３平坦部３３が底面カバー４ｂの底板部４ｂ１に固定される。第３平坦部３３が固定された状態において、第３平坦部３３の上面は、底板部４ｂ１の下面に当接する。
【００４０】
図９は、実施の形態に係る転倒防止部に含まれる可動部の側面図である。図１０は、実施の形態に係る転倒防止部に含まれる可動部の前後方向への回動を示す図である。図１１は、実施の形態に係る転倒防止部に含まれる可動部の上下方向への回動を示す図である。図９から図１１を参照して、可動部４０について説明する。
【００４１】
図９から図１１に示すように、可動部４０は、第１支持部５０、第２支持部６０、および先端回動部７０を有する。第１支持部５０は、第２支持部６０を前後方向に回動可能に支持する。具体的には、第１支持部５０は、本体部２の底面２ｂの法線方向を回動軸として、この回動軸周りに回動可能に第２支持部６０を支持する。回動軸は、上記法線方向に延在するピン９１によって形成される。
【００４２】
第２支持部６０は、先端回動部７０を上下方向に回動可能に支持する。具体的には、第２支持部６０は、左右方向に平行な方向を回動軸として、この回動軸周りに回動可能に先端回動部７０を支持する。回動軸は、左右方向に延在するピン９２によって形成される。
【００４３】
なお、本体部２が傾斜していない非傾斜状態から下方側に向けての先端回動部７０の回動は、後述する第２支持部６０の回動規制部６８によって規制される。
【００４４】
図１２は、実施の形態に係る転倒防止部に含まれる可動部の基端部側の構成を示す上面図である。図１３は、図１２に示すＸＩＩＩ−ＸＩＩＩ線に沿った断面図である。図１４は、図１２に示すＸＩＶ−ＸＩＶ線に沿った断面図である。
【００４５】
図１２から図１４に示すように、第１支持部５０は、第１平坦部５１、第２平坦部５２、第１側壁部５３および突出部５４を有する。
【００４６】
第１平坦部５１は、長手方向および短手方向を有する略矩形形状を有する。第１平坦部５１は、冷蔵庫１が傾斜していない非傾斜状態において、ＸＹ平面に平行となる。第１平坦部５１は、上記非傾斜状態において、Ｙ軸方向に延在する。
【００４７】
本体部２の底面２ｂの中央に近い第１平坦部５１の基端側（図１２中左側）には、下方に向けて突出する突出部５４が設けられている。第１平坦部５１の先端側（図１２中右側）には、挿通孔５５（図１７参照）が設けられている。
【００４８】
第１側壁部５３は、上記非傾斜状態において、Ｘ軸方向における第１平坦部５１の両端から上方に向けて起立するように設けられている。第１側壁部５３は、第１平坦部５１と略直交する。
【００４９】
第２平坦部５２は、第１側壁部５３の上端から外側に折り曲がるように設けられている。第２平坦部５２は、上記非傾斜状態において、ＸＹ平面に平行となる。
【００５０】
図１５は、実施の形態に係る転倒防止部に含まれる可動部の第１支持部が固定部に収容される様子を示す断面図である。
【００５１】
図１５に示すように、第１支持部５０は、突出部５４が下方に露出するように固定部３０に収容される。第１支持部５０が固定部３０に収容された状態においては、第１支持部５０の第１平坦部５１が、固定部３０の第１平坦部３１に載置され、第１支持部５０の第２平坦部５２が、固定部３０の第２平坦部５２に載置される。第１支持部５０の突出部５４は、下方側が露出するように固定部３０の案内孔３６に挿入される。
【００５２】
第１支持部５０は、固定部３０に対してスライド移動可能に保持されている。案内孔３６の延在方向に交差する方向への突出部５４の移動が規制され、突出部５４は、案内孔３６によってその延在方向への移動が案内される。これにより、第１支持部５０は、固定部３０に対してスライド移動し、突出部５４が先端側または基端側に位置する案内孔３６の内壁面に当接することにより、第１支持部５０のスライド移動が規制される。
【００５３】
図１６は、図１２に示すＸＶＩ−ＸＶＩ線に沿った断面図である。図１７は、図１２に示すＸＶＩＩ−ＸＶＩＩ線に沿った断面図である。
【００５４】
図１２、図１６および図１７に示すように、第２支持部６０は、第１平坦部６１、第２平坦部６２、第１側壁部６３、接続板部６４、一対の接続片６６および回動規制部６８を有する。
【００５５】
第１平坦部６１は、長手方向および短手方向を有する略矩形形状を有する。第１平坦部６１は、冷蔵庫１が傾斜していない非傾斜状態において、ＸＹ面に平行となる。第１平坦部６１は、上記非傾斜状態において、Ｙ軸方向に延在する。
【００５６】
第１側壁部６３は、上記非傾斜状態において、Ｘ軸方向における第１平坦部６１の両端から上方に向けて起立するように設けられている。第１側壁部６３は、第１平坦部６１と略直交する。
【００５７】
第２平坦部６２は、第１側壁部６３の上端から外側に折り曲がるように設けられている。第２平坦部６２は、上記非傾斜状態において、ＸＹ平面に平行となる。
【００５８】
接続板部６４の先端は、第２平坦部６２の基端に接続される。接続板部６４は、Ｙ軸方向に延在する。接続板部６４の高さ位置は、第１平坦部６１の高さ位置と第２平坦部６２の高さ位置との間に位置する。接続板部６４の基端部側には、ピン孔６５が設けられている。
【００５９】
接続板部６４は、ピン孔６５が第１支持部５０の第１平坦部５１に設けられた挿通孔５５に重なるように第１支持部５０の第１平坦部５１上に配置される。この状態で、挿通孔５５およびピン孔６５にピン９１が挿通され、これにより、第２支持部６０が、ピン９１の軸芯周りに回動可能に支持される。
【００６０】
一対の接続片６６は、上記非傾斜状態において、第１側壁部６３の先端からＹ軸方向に沿って突出するように設けられている。一対の接続片６６は、Ｘ軸方向に互いに離間して並ぶ。一対の接続片６６には、ピン孔６７が設けられている。
【００６１】
回動規制部６８は、一対の接続片６６の一方に設けられている。回動規制部６８は、一方の接続片６６の基端側における上端から他方の接続片６６に向けて突出する。回動規制部６８は、上記非傾斜状態において、ＸＹ平面に平行である。
【００６２】
回動規制部６８は、上記非傾斜状態において、後述する第３支持部７０ａにおける一対の接続片７６の一方の基端側の上端に当接する。これにより、回動規制部６８は、先端回動部７０の先端側が下方に向けて回動することを規制する。
【００６３】
第２支持部６０は、上記非傾斜状態において、固定部３０に収容されている。第２支持部６０が固定部３０に収容された状態においては、第２支持部６０の第１平坦部６１が、固定部３０の第１平坦部３１に載置され、第２支持部６０の第２平坦部６２が、固定部３０の第２平坦部５２に載置される。
【００６４】
図１８から図２２を用いて、実施の形態に係る転倒防止部に含まれる可動部の先端側の構成について説明する。
【００６５】
図１８は、実施の形態に係る転倒防止部に含まれる可動部の先端側の構成の一部である第３支持部を示す上面図である。図１９は、図１８に示すＸＩＸ−ＸＩＸ線に沿った断面図である。図２０は、図１８に示すＸＸ−ＸＸ線に沿った断面図である。図１８から図２０を参照して、第３支持部７０ａについて説明する。
【００６６】
第３支持部７０ａは、上述の先端回動部７０の一部を構成する。第３支持部７０ａは、第１平坦部７１、第２平坦部７２、第１側壁部７３、筒状部７４、および一対の接続片７６を有する。
【００６７】
第１平坦部７１は、長手方向および短手方向を有する略矩形形状を有する。第１平坦部７１は、冷蔵庫１が傾斜しない非傾斜状態においてＸＹ面に平行となる。第１平坦部７１の略中央には、開口部が設けられている。当該開口部に筒状部７４が連通するように設けられている。筒状部７４は、第１平坦部７１の下方に向けて突出する。
【００６８】
第１側壁部７３は、上記非傾斜状態において、Ｘ軸方向における第１平坦部７１の両端から上方に向けて起立するように設けられている。第１側壁部７３は、第１平坦部７１と略直交する。
【００６９】
第２平坦部７２は、第１側壁部７３の上端から外側に折り曲がるように設けられている。第２平坦部７２は、上記非傾斜状態において、ＸＹ平面と平行となる。
【００７０】
一対の接続片７６は、上記非傾斜状態において、第１側壁部７３の基端からＹ軸方向に沿って突出するように設けられている。一対の接続片７６は、Ｘ軸方向に互いに離間して並ぶ。一対の接続片７６は、先端にフランジ部７６ａを有する。フランジ部７６ａは、第１側壁部７３の基端および第２平坦部７２の基端の一部に接続されている。一対の接続片７６には、ピン孔７７が設けられている。
【００７１】
一対の接続片７６は、第２支持部６０における一対の接続片６６の内側において、ピン孔７７がピン孔６７に重なるように配置される。この状態で、ピン孔６７およびピン孔７７にピン９２が挿通され、これにより、第３支持部７０ａが、ピン９２の軸心周りに回動可能に支持される。
【００７２】
なお、上記非傾斜状態において、一対の接続片７６の一方の基端側における上端は、上述の回動規制部６８に接触することにより、第３支持部７０ａの先端側が下方に向けて回動することが規制される。
【００７３】
図２１および図２２は、実施の形態に係る転倒防止部の先端側の構成の他の一部である足部を示す上面図および側面図である。図２１および図２２を参照して、足部７０ｂについて説明する。
【００７４】
足部７０ｂは、先端回動部７０の一部を構成する。足部７０ｂは、床面に接触可能に設けられている。足部７０ｂは、床面接触部７８と挿入部７９とを含む。床面接触部７８は、たとえば円盤形状を有する。床面接触部７８の下面は、足部７０ｂの下面７０ｂ１を構成する。
【００７５】
挿入部７９は、略円柱形状を有する。挿入部７９は、床面接触部７８の上面から上方に向けて突出するように設けられている。挿入部７９は、床面接触部７８の上面の略中央部に設けられている。挿入部７９は、上記第３支持部７０ａの筒状部７４に挿入される。これにより、足部７０ｂが第３支持部７０ａに固定される。
【００７６】
図２３は、実施の形態に係る冷蔵庫の本体部が傾斜していない非傾斜状態における転倒防止部の状態を示す図である。図２４および図２５は、実施の形態に係る冷蔵庫の本体部が傾斜した傾斜状態における転倒防止部の第１状態および第２状態を示す図である。図２３から図２５を参照して、転倒防止部２０の転倒防止動作について説明する。
【００７７】
図２３に示すように、本体部２が傾斜していない非傾斜状態においては、転倒防止部２０は、本体部２の側面から外側に突出しないように本体部２の底面２ｂの内側に収容されている。すなわち、非傾斜状態において、可動部４０は、本体部２の底面２ｂの内側に収容されている。
【００７８】
具体的には、第１支持部５０、第２支持部６０および先端回動部７０の一部が固定部３０内に収容されており、可動部４０の先端側に位置する先端回動部７０の足部７０ｂが固定部３０から露出する。足部７０ｂの先端は、本体部２の底面２ｂの内側に位置する。
【００７９】
また、先端回動部７０の下方に向かう回動は、上述の第２支持部６０の回動規制部６８によって規制されているため、この状態において、足部７０ｂの下面７０ｂ１は、床面Ｆと平行となる。このように、足部７０ｂの下面７０ｂ１は、非傾斜状態において、床面に平行となる平面部に相当する。
【００８０】
図２４に示すように、転倒防止部２０の先端側が上記非傾斜状態と比較して低所に位置するように本体部２が傾斜した傾斜状態においては、本体部２の底面２ｂから外側に突出する。なお、本体部２は、床面Ｆに対してθ１度傾斜しており、θ１は、たとえば１０度程度である。
【００８１】
本体部２が、背面から見て右側に傾斜して、底板部４ｂ１の右側に設けられた転倒防止部２０の先端側が、非傾斜状態の位置よりも低所に移動した場合には、可動部４０は、自重によって右側に向けてスライド移動する。この際、可動部４０は、本体部２の底面２ｂの外側に突出して床面Ｆに接触する。
【００８２】
具体的には、上記のように本体部２が傾斜することにより、第１支持部５０、および第２支持部６０が固定部３０に対して右側に向けてスライド移動する。これに伴って、先端回動部７０も右側に向けて移動して、足部７０ｂの先端側が床面Ｆに接触する。
【００８３】
図２５に示すように、先端回動部７０は、ピン９２を回動軸として上方側に向けて回動可能に構成されている。これにより、足部７０ｂの先端側が床面Ｆに接触する場合には、第１支持部５０、および第２支持部６０が固定部３０に対して傾斜方向に沿ってスライド移動しつつ、先端回動部７０の先端が上方に向かうように回動する。これにより、足部７０ｂの下面７０ｂ１が床面Ｆに平行な状態で床面Ｆに接触する。この結果、冷蔵庫１の転倒を安定して防止することができる。
【００８４】
さらに、背面側から見て本体部２が右側前方に傾斜する場合には、可動部４０は、上記のスライド移動に加えて、前方側に向けて回動する。本体部２が右側後方に傾斜する場合には、可動部４０は、上記のスライド移動に加えて後方側に向けて回動する。
【００８５】
具体的には、本体部２が右側前方に傾斜する場合には、第１支持部５０が固定部３０に対して右側に向けてスライド移動しつつ、第２支持部６０が、ピン９１を回動軸として、前方側へ回動する。本体部２が右側後方に傾斜する場合には、第１支持部５０が固定部３０に対して右側に向けてスライド移動しつつ、第２支持部６０が、ピン９１を回動軸として、後方側へ回動する。床面Ｆに接触した足部７０ｂは、先端回動部７０が上方側に向けて回動することにより、下面７０ｂ１が床面Ｆに平行な状態で床面Ｆに接触する。
【００８６】
このように、可動部４０が底面２ｂの法線方向を軸として回動可能に設けられることにより、冷蔵庫１の傾斜方向に対応して可動部４０を床面Ｆに接触させることができるため、より安定して冷蔵庫１の転倒を防止できる。
【００８７】
なお、本体部２が背面から見て左側傾斜する場合には、左側に設けられた転倒防止部２０が、上述のような転倒防止動作に準拠して、冷蔵庫１の転倒を防止する。
【００８８】
以上のように、本実施の形態における冷蔵庫１にあっては、転倒防止部２０が本体部２の底面２ｂに固定された固定部３０と、固定部３０に対してスライド移動可能に設けられた可動部４０とを含み、可動部４０が、転倒防止部２０が非傾斜状態と比較して低所に位置するように本体部２が傾斜した傾斜状態において、底面２ｂの外側に突出する構成とすることにより、安定して転倒を防止できる。
【００８９】
また、可動部４０が、非傾斜状態において、底面２ｂの内側に収容されることにより、冷蔵庫１の設置スペースが大きくならず、また、通常使用時における冷蔵庫１の外観も良好となる。
【００９０】
さらに、転倒防止部２０を左右方向に並んで一対設けることにより、冷蔵庫１の左右方向の転倒を安定して防止することができる。
【００９１】
また、圧縮機１０を支持する底面カバー４ｂに転倒防止部２０の固定部３０を固定することにより、断熱箱体３の底面に固定する場合と比較して、容易に転倒防止部２０を組み付けることができる。
【００９２】
加えて、可動部４０が、本体部２の底面２ｂの法線方向を軸方向として回動可能に構成されることにより、上述のように冷蔵庫１の傾斜方向に対応して可動部４０を床面Ｆに接触させることができるため、より安定して冷蔵庫１の転倒を防止できる。
【００９３】
また、可動部４０の先端側に設けられた平面部が床面に平行な状態で床面に接触するように、可動部４０の先端側が上方側に向けて回動可能に構成されることにより、床面に接触する可動部４０の接触面積を増加させることができ、より安定して冷蔵庫１の転倒を防止することができる。
【００９４】
さらに、可動部４０の先端側が、非傾斜状態において上記平面部が床面に平行な状態から下方側に回動することを規制する回動規制部を有することにより、可動部４０の先端側が床面に接触した後に、先端回動部７０を安定して上方側に回動させることができる。これにより、より確実に平面部を平行な状態で床面に接触させることができる。
【００９５】
（実施の形態２）
上述した実施の形態においては、左右方向に並ぶように一対の転倒防止部２０が設けられる場合を例示して説明したが、これに限定されず、転倒防止部２０の数および配置は適宜変更することができる。
【００９６】
たとえば、傾斜しやすい方向にのみ可動部４０が突出するように、単数の転倒防止部２０が設けられていてもよいし、各種方向に可動部４０が突出するように複数の転倒防止部２０が設けられていてもよい。
【００９７】
具体的には、転倒防止部２０は、可動部４０が前方側または後方側に向けて突出するように設けられていてもよい。この場合には、非傾斜状態において、固定部３０の長手方向がＸ軸方向（前後方向）に沿うように本体部２の底面２ｂに固定される。
【００９８】
（実施の形態３）
上述した実施の形態においては、可動部４０が、本体部２の底面２ｂの法線方向を軸方向として回動可能に設けられるとともに、可動部４０の先端側が上方側に向けて回動可能に設けられる場合を例示して説明したが、これに限定されない。
【００９９】
可動部４０がスライド移動可能に構成され、可動部４０の先端側が床面に接触可能に構成される限り、可動部４０は、上記法線方向を軸方向とし回動不能に設けられていてもよいし、可動部４０の先端側が回動不能に設けられていてもよい。この場合には、本体部２が傾斜した際に、可動部４０がスライド移動して、床面に接触することにより、冷蔵庫１の転倒を防止することができる。
【０１００】
また、転倒防止部２０の固定部３０が機械室４を規定する底面カバー４ｂに固定される場合を例示して説明したが、これに限定されず、断熱箱体３の底面に固定されていてもよい。
【０１０１】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０１０２】
１  冷蔵庫、２  本体部、２ｂ  底面、３  断熱箱体、３ａ  背面、４  機械室、４ａ  背面カバー、４ｂ  底面カバー、４ｂ１  底板部、４ｂ２  折り曲げ部、５  仕切り壁、６  冷蔵室、７  野菜室、８  冷凍室、９  開閉扉、１０  圧縮機、１１  凝縮器、１２  蒸発器、１５  支持脚、２０  転倒防止部、３０  固定部、３１  第１平坦部、３２  第２平坦部、３３  第３平坦部、３４  第１側壁部、３５  第２側壁部、３６  案内孔、３７  切欠き部、３８  穴部、４０  可動部、５０  第１支持部、５１  第１平坦部、５２  第２平坦部、５３  第１側壁部、５４  突出部、５５  挿通孔、６０  第２支持部、６１  第１平坦部、６２  第２平坦部、６３  第１側壁部、６４  接続板部、６５  ピン孔、６６  接続片、６７  ピン孔、６８  回動規制部、７０  先端回動部、７０ａ  第３支持部、７０ｂ  足部、７０ｂ１  下面、７１  第１平坦部、７２  第２平坦部、７３  第１側壁部、７４  筒状部、７６  接続片、７６ａ  フランジ部、７８  床面接触部、７９  挿入部、９０  ネジ、９１，９２  ピン。
【図１】
2017075738.tif 000003
【図２】
2017075738.tif 000004
【図３】
2017075738.tif 000005
【図４】
2017075738.tif 000006
【図５】
2017075738.tif 000007
【図６】
2017075738.tif 000008
【図７】
2017075738.tif 000009
【図８】
2017075738.tif 000010
【図９】
2017075738.tif 000011
【図１０】
2017075738.tif 000012
【図１１】
2017075738.tif 000013
【図１２】
2017075738.tif 000014
【図１３】
2017075738.tif 000015
【図１４】
2017075738.tif 000016
【図１５】
2017075738.tif 000017
【図１６】
2017075738.tif 000018
【図１７】
2017075738.tif 000019
【図１８】
2017075738.tif 000020
【図１９】
2017075738.tif 000021
【図２０】
2017075738.tif 000022
【図２１】
2017075738.tif 000023
【図２２】
2017075738.tif 000024
【図２３】
2017075738.tif 000025
【図２４】
2017075738.tif 000026
【図２５】
2017075738.tif 000027